(57)【要約】【課題】載置面に面するスピーカについて、単に音質劣化を防止するのみでなく、周囲空間への音の広がりを拡大し、比較的均等に周囲へ音を伝達させる。【解決手段】筐体２０の背面側に着信音を発生するスピーカ部２８の放音口を有する携帯通信端末装置において、筐体２０は、その背面側を平面状の載置面４０に載置したとき、スピーカ部１８の放音口が、筐体２０の少なくとも両側部側にほぼ均等に載置面４０から浮き上がるように形成された突出部３０を有する。【選択図】　図１
2004080389.tif 000002
【特許請求の範囲】
【請求項１】
筐体の背面側に着信音を発生するスピーカの放音口を有する携帯通信端末装置において、
前記筐体は、その背面側を平面状の載置面に載置したとき、前記スピーカの放音口が、前記筐体の少なくとも両側部側にほぼ均等に前記載置面から浮き上がるように形成された突出部を有することを特徴とする携帯通信端末装置。
【請求項２】
前記突出部にアンテナ部材を収容したことを特徴とする請求項１に記載の携帯通信端末装置。
【請求項３】
筐体の背面側に着信音を発生するスピーカの放音口を有する携帯通信端末装置において、
前記筐体は、その背面側を平面状の載置面に載置したとき、前記スピーカの放音口が前記載置面から浮き上がるとともに、前記筐体の少なくとも両側部側にほぼ均等に開放する空間を形成するよう形成された突出部を有することを特徴とする携帯通信端末装置。
【請求項４】
前記突出部にアンテナ部材を収容したことを特徴とする請求項３に記載の携帯通信端末装置。
【請求項５】
上側筐体と下側筐体とがヒンジ部を介して接続された二つ折り型の携帯通信端末装置において、
前記下側筐体の背面側に着信音を発生するスピーカの放音口を有し、
前記下側筐体は、その背面側を平面状の載置面に載置したとき、前記スピーカの放音口が前記載置面から浮き上がるとともに、前記筐体の少なくとも両側部側にほぼ均等な開放空間を形成するよう形成された突出部を有することを特徴とする携帯通信端末装置。
【請求項６】
前記突出部にアンテナ部材を収容したことを特徴とする請求項５に記載の携帯通信端末装置。
【発明の詳細な説明】
【０００１】
【発明の属する技術分野】
本発明は、筐体の背面側に着信音を発生するスピーカの放音口を有する携帯通信端末装置に関する。
【０００２】
【従来の技術】
携帯電話機を代表とする携帯通信端末装置（単に携帯通信端末または端末ともいう）は、通常、着信音を発生するスピーカを、筐体の背面側に有するのが一般的である。したがって、端末が机上等に載置される場合、スピーカの放音口が載置面に面することになる。これは、スピーカを配置する空間的余裕の問題、および、着信音等の音の認識のためにスピーカの放音口が見える必要がないこと等、に起因すると考えられる。
【０００３】
【発明が解決しようとする課題】
図２に、従来の、上側筐体と下側筐体とがヒンジ部を介して接続された二つ折り型の携帯電話機の側面図を示す。図示のように折り畳んだ状態で机上等の載置面上に載置されたときにスピーカ部は載置面に当接または近接し、放音口から放出される音の放音が妨げられたり、音質が劣化する問題があった。同じく、載置面に当接または近接することにより、スピーカの磁気による磁性体物質の吸着、放音口に設けられた多数の孔への塵埃等の進入が生じるおそれがあった。いわゆるスティック型の携帯電話機についても同様である。
【０００４】
また、アンテナ部などの収容のため筐体の一部は隆起している携帯電話機では、机上等に載置したときスピーカ部が載置面から浮き上がる場合もあるが、筐体と載置面との間に形成される、スピーカからの音が伝達する開放空間の大きさが一部の方向に偏っているため、必ずしも周囲にバランスよく拡がらないという問題があった。
【０００５】
本発明はこのような背景においてなされたものであり、その目的は、載置面に面するスピーカについて、単に音質劣化を防止するのみでなく、周囲空間への音の広がりを拡大し、比較的均等に周囲へ音を伝達させることができる携帯通信端末装置を提供することにある。
【０００６】
【課題を解決するための手段】
本発明による携帯通信端末装置は、筐体の背面側に着信音を発生するスピーカの放音口を有する携帯通信端末装置であって、前記筐体は、その背面側を平面状の載置面に載置したとき、前記スピーカの放音口が、前記筐体の少なくとも両側部側にほぼ均等に前記載置面から浮き上がるように形成された突出部を有することを特徴とする。
【０００７】
本発明による他の携帯通信端末装置は、筐体の背面側に着信音を発生するスピーカの放音口を有する携帯通信端末装置において、前記筐体は、その背面側を平面状の載置面に載置したとき、前記スピーカの放音口が前記載置面から浮き上がるとともに、前記筐体の少なくとも両側部側にほぼ均等に開放する空間を形成するよう形成された突出部を有することを特徴とする。
【０００８】
本発明による更に他の携帯通信端末装置は、上側筐体と下側筐体とがヒンジ部を介して接続された二つ折り型の携帯通信端末装置において、前記下側筐体の背面側に着信音を発生するスピーカの放音口を有し、前記下側筐体は、その背面側を平面状の載置面に載置したとき、前記スピーカの放音口が前記載置面から浮き上がるとともに、前記筐体の少なくとも両側部側にほぼ均等な開放空間を形成するよう形成された突出部を有することを特徴とする。
【０００９】
前記突出部は筐体の一部であっても、あるいは筐体に対して付加された部材であってもよい。
【００１０】
いずれの携帯端末装置においても、好ましくは、前記突出部にアンテナ部材を収容する。突出部が複数ある場合、少なくともその一つにアンテナを収容すれば足り、アンテナ部材が収容されない突出部が存在してもよい。
【００１１】
【発明の実施の形態】
以下、本発明の実施の形態について、図面を参照して詳細に説明する。以下では、本発明の携帯通信端末装置の一例として携帯電話機について説明する。
【００１２】
図１に本発明による第１の実施の形態に係る携帯電話機の構成を示す。図１（ａ）は折り畳んで載置面４０上に載置した状態を前からみた図であり、図１（ｂ）はその状態を後ろから見た図である。図１（ｃ）はその状態を側面から見た図である。これは二つ折り型の携帯電話機であり、上側筐体１０と下側筐体２０とがヒンジ１５を介して折り畳み可能に結合されている。なお、本明細書において、「前から見た図」とはヒンジ１５の側から見た図である。本実施の形態の携帯電話機は、下側筐体２０の前端、すなわちヒンジ１５側に突出部３０を有する。この突出部３０は、図１（ａ）に現れているように、筐体の幅方向に亘って延びている。突出部３０はその下端において線状に載置面４０に接触している。下側筐体２０の後端側も下端が線状に載置面４０に接触している。したがって、携帯電話機は平面状の載置面４０上に安定して載置される。図１（ｃ）の側面図から分かるように、この携帯電話機が載置面４０上に載置された状態で、下側筐体２０と載置面４０との間には空間が形成される。この空間は筐体の両側部側に、左右対称的な、すなわち、同等なサイズおよび形状の開口部６３を形成する。
【００１３】
その結果、空間部に放音口を有するスピーカ部１８から放出される音は両側の開口部６３を介して左右に均等に拡がることができる。左右方向と前後方向とは必ずしも音の広がりが均等とは言えないが、この構成により、従来に比べて、より均等に周囲へ音を伝達することが可能となる。また、スピーカ部１８の放音口と載置面４０との間に所定の間隔が保たれるので、磁気による磁性体物質の吸着や、放音口に設けられた多数の孔への塵埃等の進入等が軽減される。
【００１４】
図３は、図１に示した二つ折り型の携帯電話機の概略の側面図であり、それぞれ、（ａ）は上側筐体を開いた状態、（ｂ）はそれを閉じた（折り畳んだ）状態を示している。上側筐体１０の内側の主面には液晶表示部１３が設置され、下側筐体２０の内側の主面にはキーボード面１７が配置されている。下側筐体２０のヒンジ部１５近傍で外側の斜め上方に突出した突出部３０内にはアンテナが配置されている。
【００１５】
図４（ａ）（ｂ）に、この携帯電話機において考えられるアンテナエレメントの設置例を示す。いずれも突出部３０内のアンテナエレメントの配置の様子を外部から模式的に示している。
【００１６】
図４（ａ）の構成では、図４（ｅ）に示すように、線状もしくは板状（細板状）のアンテナエレメント５２を下側筐体内のグランド５６からなるべく離すために、アンテナエレメント５２を図４で示した面（Ａ）３１の内壁に沿って配置してある。目標とされるアンテナの自由空間放射特性・帯域幅等にもよるが、アンテナのＱをなるべく低くして、帯域を稼ぐ（増加させる）ことを考慮すると、このように配置するのが一般的と考えられる。しかしながら図４（ａ）に示したように、面（Ａ）３１はユーザの手や指がもっとも掛かりやすいため、アンテナ部分に手や指が掛かってしまったとき、図４（ｃ）に示すようにアンテナ面が指に覆われ、アンテナ特性の大幅な劣化が生じると考えられる。
【００１７】
そこで好ましくは、本願出願人が先に特願２００２−１６１０７８で提案しているように、図４（ｂ）（ｄ）に示すようなアンテナエレメントの構成および配置を採用する。但し、これは本発明に必須の要件ではない。図４（ｂ）（ｄ）では、アンテナエレメント５０を給電点側の平板状のエレメント部分５３とこの先端側の側部に連なる平板状のエレメント部分５４とからなるクランク状に形成するとともに、そのエレメント部分５４とエレメント部分５３の成す角度を所定の角度としている。「所定の角度」はこの例ではほぼ直角であるが、必ずしも直角に限るものではない。本実施の形態では、両エレメント部分５３，５４はクランク形状の板金（導電性の板状部材）の中間部を両部分の境界に沿って折り曲げたものである。但し、分離した両エレメント部分５３，５４を導電的に接合したものであってもよい。また、板金によらず金属箔で形成してもよい。この例では、給電点側のエレメント部分５３は突出部３０の天面である面（Ａ）３１の内壁面に沿って配置し、開放端側のエレメント部分５４のみ、ユーザの手や指が掛かりにくい面（Ｂ）３２の内壁面に沿って配置するような構成としている。これは一般に、一つのアンテナエレメントでも、インピーダンスの高い部分の方が、インピーダンスの低い部分よりも、手や指で覆われた場合の特性劣化が大きいからである。よって、高インピーダンス部であるアンテナ開放端部分を、ユーザの手・指から逃げられるようにしている。ここで「逃げ」るとは、アンテナの面が手や指に対向する度合いが小さくなるような状態を意味している。この度合いが最も小さくなるのは、アンテナの主面が手や指の面と成す角度が直角またはこれに近いときである。すなわち、ユーザの手または指が開放状態の筐体外部からアンテナエレメントの開放端側に最も接近した状態において、アンテナエレメントの少なくとも開放端側の所定の長さに亘ってその主面が手または指の表面に対して直角またはこれに近い角度を成す場合である。なお且つ、この構造によれば、アンテナエレメント５０を面（Ｂ）３２の全面に配置しているわけではなく、面（Ａ）３１側にも配置しているため、アンテナの高Ｑ化、すなわちアンテナ帯域幅劣化も抑えられる。
【００１８】
図５は、本発明の第２の実施の形態に係る携帯電話機の構成を示す。これは第１の実施の形態の携帯電話機と類似しているが、次の点で異なる。すなわち、下側筐体２０のヒンジ側端部における突出部６１が２つの部分に分かれ、その間に載置面４０上で開口部６２を形成していることである。第１の実施の形態の突出部３０が載置面４０と線状に接触したのに対して、本実施の形態の各突出部６１は、載置面４０といわば点状に接触する。下側筐体２０のヒンジ部と反対側の端部は突出部なしに直接載置面に接触している。両側部に対称な開口部６３を形成していることは第１の実施の形態と同じである。上側筐体１０の外側の主面にはサブ表示部や着信ＬＥＤ等の要素１６を配置した例を示している。但し、この要素１６は本発明において必須のものではない。他の実施の形態においても同様である。なお、この実施の形態におけるアンテナは第１の実施の形態と異なり、突出部が二分されているので、その少なくとも一方に、例えばヘリカルアンテナのようなアンテナ部材を固定的に配置することができる。これにより、突出部の占有空間を有効に利用することができる。以下の実施の形態においても、突出部の形態により第１または第２の実施の形態で説明したようなそれぞれのアンテナを突出部に収容または配置することが可能である。
【００１９】
この実施の形態ではスピーカ部１８の下部の空間が前および左右の３方向に開放（開口）しているので、第１の実施の形態に比べてさらにバランスよく周囲へ音を伝達することが可能となる。
【００２０】
図６は、本発明の第３の実施の形態に係る携帯電話機の構成を示す。これは第２の実施の形態の携帯電話機と類似しているが、次の点で異なる。すなわち、下側筐体２０のヒンジ側端部と反対側の端部においても２分した突出部６４を有することである。これにより、載置部４０上で、両側部に対称な開口部６５を形成するとともに、前後方向にもほぼ対称な開口部６２を形成している。この実施の形態ではスピーカ部１８の下部の空間が前後左右の４方向に開放しているので、第２の実施の形態に比べてもさらにバランスよく周囲へ音を伝達することが可能となる。
【００２１】
図７は、本発明の第４の実施の形態に係る携帯電話機の構成を示す。これは第３の実施の形態の携帯電話機と類似しているが、次の点で異なる。すなわち、下側筐体２０のヒンジ側端部と反対側の両方の端部において幅方向に延びた突出部８１、８２を有することである。これにより、載置部４０上で、両側部に対称な開口部８４を形成している。この実施の形態ではスピーカ部１８の下部の空間が左右の２方向に開放しているので、従来に比べてバランスよく周囲へ音を伝達することが可能となる。
【００２２】
図８は、本発明の第５の実施の形態に係る携帯電話機の構成を示す。これは第１の実施の形態の携帯電話機と類似しているが、次の点で異なる。すなわち、下側筐体２０のヒンジ側端部と反対側の端部において幅方向に延びた突出部８１を有することである。下側筐体２０のヒンジ部側の端部は突出部なしに直接載置面に接触している。これにより、載置部４０上で、両側部に対称な開口部９４を形成している。この実施の形態では、スピーカ部１８の下部の空間が左右の２方向に開放しているので、従来に比べてバランスよく周囲へ音を伝達することが可能となる。
【００２３】
図９は、本発明の第６の実施の形態に係る携帯電話機の構成を示す。これは第５の実施の形態の携帯電話機と類似しているが、次の点で異なる。すなわち、下側筐体２０のヒンジ側端部と反対側の端部において２つに分かれた突出部１０１を有することである。下側筐体２０のヒンジ部側の端部は突出部なしに直接載置面に接触している。これにより、載置部４０上で、両側部に対称な開口部６３を形成するとともに、後部側に開口部６２を形成している。この実施の形態では、スピーカ部１８の下部の空間が左右の３方向に開放しているので、第５の実施の形態に比べても、さらにバランスよく周囲へ音を伝達することが可能となる。
【００２４】
図１０は、本発明の第７の実施の形態に係る携帯電話機の構成を示す。これは、ホイップアンテナ１１４を収容する突出部１１６を備える携帯電話機であり、この突出部に対応する同等のサイズの突出部１１１を反対側の側部に設けている。突出部１１１にはアンテナは収容していない。なお、アンテナ１１４は引き伸ばせない固定のアンテナであってもよい。この構成によって、携帯電話機を載置面４０上に安定して載置できるようになるとともに、載置面４０上で、スピーカ部１８の面する空間が周囲につながる両側の対称な開口部１１２および前方の開口部６２が形成される。すなわち、スピーカ部１８の面する空間は、開口部６２と２つの開口部１１２の３つの方向に開放している。よって、従来に比べて十分にバランスよく周囲へ音を伝達することが可能となる。
【００２５】
図１１は、本発明の第８の実施の形態に係る携帯電話機の構成を示す。これは二つ折り型ではなく、いわゆるスティック型の携帯電話機である。筐体の後端側、すなわち液晶表示部１３の位置する側と反対側において２分した突出部１１３を有する。この突出部１１３は載置面４０上で後部側に開いた開口部６２と両側部側に対称に開いた開口部１０５を形成している。すなわち、スピーカ部１８の面する空間は、開口部６２と２つの開口部１０５の３つの方向に開放している。よって、従来に比べて十分にバランスよく周囲へ音を伝達することが可能となる。なお、この実施の形態において、突出部１１３を筐体の幅方向に亘って延びるように形成することもできる。
【００２６】
以上、本発明の好適な実施の形態について説明したが、上記で言及した以外にも、技術的な思想を逸脱することなく、種々の変形、変更が可能である。
【００２７】
【発明の効果】
本発明の携帯端末装置によれば、所定の突出部の存在により、装置を安定して載置面上に載置できるとともに、載置面に面するスピーカについて、単に音質劣化を防止するのみでなく、周囲空間への音の広がりを拡大し、比較的均等に周囲へ音を伝達させることが可能となる。
【図面の簡単な説明】
【図１】本発明による第１の実施の形態に係る携帯電話機の構成を示す正面図（ａ）、背面図（ｂ）および側面図（ｃ）である。
【図２】従来の、上側筐体と下側筐体とがヒンジ部を介して接続された二つ折り型の携帯電話機の側面図である。
【図３】図１に示した二つ折り型の、端末開き時および閉じ時の携帯電話機の側面図（ａ）（ｂ）である。
【図４】図１の携帯電話機のアンテナの設置例を示す図（ａ）〜（ｆ）である。
【図５】本発明の第２の実施の形態に係る携帯電話機の構成を示す正面図（ａ）、背面図（ｂ）および側面図（ｃ）である。
【図６】本発明の第３の実施の形態に係る携帯電話機の構成を示す正面図（ａ）、背面図（ｂ）および側面図（ｃ）である。
【図７】本発明の第４の実施の形態に係る携帯電話機の構成を示す正面図（ａ）、背面図（ｂ）および側面図（ｃ）である。
【図８】本発明の第５の実施の形態に係る携帯電話機の構成を示す正面図（ａ）、背面図（ｂ）および側面図（ｃ）である。
【図９】本発明の第６の実施の形態に係る携帯電話機の構成を示す正面図（ａ）、背面図（ｂ）および側面図（ｃ）である。
【図１０】本発明の第７の実施の形態に係る携帯電話機の構成を示す正面図（ａ）、背面図（ｂ）および側面図（ｃ）である。
【図１１】本発明の第８の実施の形態に係る携帯電話機の構成を示す正面図（ａ）、背面図（ｂ）および側面図（ｃ）である。
【符号の説明】
１０…上側筐体、１３…液晶表示部、２０…下側筐体、１５…ヒンジ、１８…スピーカ部、３０，６１，６４，８１，８２，１０１、１１１，１１３，１１６…突出部、４０…載置面、６２，６３，６５，８４，９４，１０５，１１２…開口部
【図１】
2004080389.tif 000003
【図２】
2004080389.tif 000004
【図３】
2004080389.tif 000005
【図４】
2004080389.tif 000006
【図５】
2004080389.tif 000007
【図６】
2004080389.tif 000008
【図７】
2004080389.tif 000009
【図８】
2004080389.tif 000010
【図９】
2004080389.tif 000011
【図１０】
2004080389.tif 000012
【図１１】
2004080389.tif 000013